(57)【要約】【課題】熱可塑性樹脂シートからなる包装用容器の側壁面部構造において、美観を高めながら容器の剛性をも高めることができ、さらには、仕切部を変形しにくくした包装用容器の側壁面部構造を提供する。【解決手段】包装用容器の側壁面部構造１は、熱可塑性樹脂シートからなり、底面部６の縁部に側壁面部２を備えた包装用容器５などに用いることができ、側壁面部２に階段状とした段状部３を備え、段状部３の少なくとも１段を容器内側に舌片状に膨出させた部分を有する膨出段部４としたことを特徴とし、膨出段部３は、長さ方向の中間付近を舌片状に膨出させた平面視弓形状に形成することが好ましい。【選択図】図２
2019108135.tif 000002
【特許請求の範囲】
【請求項１】
熱可塑性樹脂シートからなり、底面部の縁部に側壁面部を備えた包装用容器の側壁面部構造であって、
該側壁面部に階段状とした段状部を備え、該段状部の少なくとも１段を容器内側に舌片状に膨出させた部分を有する膨出段部とした包装用容器の側壁面部構造。
【請求項２】
前記段状部の複数段を、前記膨出段部とした請求項１に記載の包装用容器の側壁面部構造。
【請求項３】
前記膨出段部は、長さ方向の中間付近を容器内側に舌片状に膨出させた平面視弓形状に形成してなる請求項１又は２に記載の包装用容器の側壁面部構造。
【請求項４】
前記膨出段部は、容器内側に舌片状に膨出させた部分を長さ方向に沿い複数設けた平面視波形状に形成してなる請求項１又は２に記載の包装用容器の側壁面部構造。
【請求項５】
前記膨出段部に、前記底面部から上方に突出する仕切部の端部を連結した請求項１〜４のいずれかに記載の包装用容器の側壁面部構造。
【請求項６】
請求項１〜５のいずれかに記載の側壁面部構造を備えた包装用容器。
【発明の詳細な説明】
【技術分野】
【０００１】
本発明は、熱可塑性樹脂シートからなり、食料品などを収容することができる包装用容器における側壁面部の構造に関する。
【背景技術】
【０００２】
コンビニエンスストアなどの小売店で販売されるお弁当などにおいては、熱可塑性樹脂シートから形成された弁当容器が使用されていることが多い。弁当容器としては、様々な形状のものが使用されているが、例えば、底面部の周囲に側壁面部を設けて内部を収容部とし、収容部を区画壁（仕切部）で区画したものがよく使用されている。
【０００３】
このような包装用容器の側壁面部は、単に平板で形成するのではなく、面上に凹凸を設けるなどの造形が施されていることがある。
【０００４】
例えば、容器の底面部や側壁面部に並行状の凸条又は凹溝を設けることがある。これは、容器を補強して剛性を高める観点などから行われる（例えば、下記特許文献１〜４参照）。近年では、資源を節約するため、容器の薄肉化が図られている。しかし、容器を薄肉化すると容器の剛性がなくなり、容器を把持したり持ち上げたりしたときに変形しやすくなるものであった。そこで、容器の底面部や側壁面部に並行状の凸条又は凹溝を設けることにより、薄肉でありながら剛性を高めることができる。
【０００５】
それ以外にも、側壁面部の周方向に凸条又は凹溝を設け、容器を摘みやすくすることや、側壁面部を容器内側に突出させて容器内の収容物を転がりにくくさせることなどが行われている（下記特許文献５，６参照）。
【先行技術文献】
【特許文献】
【０００６】
【特許文献１】特開２０１１−７３７２５号公報
【特許文献２】特開２０１３−２３７４６７号公報
【特許文献３】特開２０１４−１０８８２０号公報
【特許文献４】特開２０１４−１８４９８３号公報
【特許文献５】特開２００２−３６２５６８号公報
【特許文献６】特開２０１７−１７１３９１号公報
【発明の概要】
【発明が解決しようとする課題】
【０００７】
上記したとおり、従来の包装用容器において、底面部や側壁面部に凸条又は凹溝などを設けて造形を施すことがあるが、これは主に容器の剛性を高めるなどの実用上の観点から設けてあるものであり、容器の美観を高めることまでも考慮しているものとはいえなかった。
【０００８】
そこで、本発明の目的は、熱可塑性樹脂シートからなる包装用容器の側壁面部の構造において、美観を高めながら容器の剛性をも高めることができ、さらには、仕切部を変形しにくくした包装用容器の側壁面部構造を提供することにある。
【課題を解決するための手段】
【０００９】
本発明の一実施形態の包装用容器の側壁面部構造は、熱可塑性樹脂シートからなり、底面部の縁部に側壁面部を備えた包装用容器の側壁面部構造であって、側壁面部に階段状とした段状部を備え、段状部の少なくとも１段を容器内側に舌片状に膨出させた部分を有する膨出段部としたことを特徴とする。
【００１０】
このように、側壁面部に階段状の段状部を設け、さらに段状部の少なくとも１段を舌片状に膨出させた膨出段部にすることにより、容器の剛性が高まり、持ち上げても変形しにくい容器にすることができる。また、膨出段部を、容器内側に膨らむ曲線状に形成することにより、美観に優れた容器にすることができる。膨出段部は容器内側に膨らむ形状としてあるので容器の収容部のスペースを狭めることになり、容器に収容した食料品などの収容物と側壁面部との隙間ができにくく、盛り付けの見映えを良くすることもできるという利点もある。
【００１１】
上記形態の包装用容器の側壁面部構造は、段状部の複数段を、膨出段部とすることができる。このようにすることにより、さらに容器の剛性を高めることができる。
【００１２】
上記形態の包装用容器の側壁面部構造は、膨出段部を、長さ方向の中間付近を容器内側に舌片状に膨出させた平面視弓形状や、容器内側に舌片状に膨出させた部分を長さ方向に沿い複数設けた平面視波形状に形成することができる。このようにすることにより、曲線を多用した、従来にはない容器の美観を演出することができる。
【００１３】
上記形態の包装用容器の側壁面部構造は、前記膨出段部に、底面部から上方に突出する仕切部の端部を連結することができる。このようにすることにより、側壁面部と仕切部との連結部の結合強度を高めて仕切部を変形しにくくすることができる。
【図面の簡単な説明】
【００１４】
【図１】本発明の包装用容器の側壁面部構造の一実施形態を示し、（Ａ）は平面図、（Ｂ）はＡ−Ａ線断面図である。
【図２】図１に示した包装用容器の側壁面部構造を模式的に示した斜視図である。
【図３】図１に示した包装用容器の側壁面部構造を適用した包装用容器の一例を示した斜視図である。
【図４】図１に示した包装用容器の側壁面部構造を適用した包装用容器の他の例を示した平面図である。
【図５】図１に示した包装用容器の側壁面部構造を適用した包装用容器の他の例を示した平面図である。
【図６】図１に示した包装用容器の側壁面部構造を適用した包装用容器の他の例を示した平面図である。
【図７】図１に示した包装用容器の側壁面部構造の変形例を示した概略斜視図である。
【図８】図３に示した包装用容器において、段状部付近を断面とした部分拡大斜視図である。
【図９】本発明の包装用容器の側壁面部構造の他の実施形態を示し、（Ａ）は平面図、（Ｂ）はＢ−Ｂ線断面図、（Ｃ）はＣ−Ｃ線断面図である。
【図１０】本発明の包装用容器の側壁面部構造の他の実施形態を示した平面図である。
【発明を実施するための形態】
【００１５】
以下、本発明の包装用容器の側壁面部構造の一実施形態を図面に基づいて説明する。
【００１６】
本発明の一実施形態の包装用容器の側壁面部構造１は、図１又は図２に示すように、側壁面部２を階段状にした段状部３と、段状部３のうち少なくとも１段を容器内側に舌片状に膨出させた部分を有する膨出段部４と、を備える。
【００１７】
図３〜図６には、側壁面部構造１を用いた各包装用容器５，５１，５２，５３が示してある。
以下、図３に示した包装用容器５に基づいて、側壁面部構造１を説明する。
包装用容器５は、底面部６の縁部に側壁面部２を設けてあり、内部を収容部７としてある。
【００１８】
包装用容器５は、特に限定するものではないが、収容部７に惣菜、米飯、麺類等の食料品を収容して包装するのが好ましく、特に収容部７を仕切部８で区画し、複数の食料品を収容することができるようにした弁当容器にするのが好ましい。
包装用容器５は、平面視正方形状としてあるが、これに限定されるものではなく、例えば、平面視長方形状などの平面視四角形状、平面視円形乃至長円形状、平面視五角形状、平面視六角形状又は八角形状などの平面視多角形状などにすることもできる。また、包装用容器５は、黒色や白色などの有色にしても、透明や半透明などにしてもよい。
【００１９】
包装用容器５は、例えば、シート厚０．１ｍｍ〜３ｍｍ、好ましくは０．２ｍｍ〜２ｍｍの合成樹脂シートを熱成形して製造することができる。
【００２０】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００２１】
熱成形としては、例えば、真空成形、圧空成形、真空圧空成形、熱板成形などを挙げることができる。
【００２２】
包装用容器５は、図３又は図８に示すように、平面視正方形状の底面部６と、底面部６の縁部の全周に、上方に拡開しながら傾斜状に立ち上がる側壁面部２と、底面部６と側壁面部２とで囲われた収容部７と、を備える。
【００２３】
底面部６は、食料品などの収容物を載せることができるようにしてあり、平面視正方形状の略水平面として形成してある。本例では、底面部２を略水平面としてあるが、これに限定されるものではなく、例えば、傾斜面状、山形状などにしてもよい。
また、底面部６には上方に突出させた仕切部８を形成してあり、収容部７を複数に区画してある。本例では、対向する隅部付近にそれぞれに湾曲状の仕切部８ａ，８ｂを設けて平面視楕円状の収容部７ａ，７ｂを形成し、その隅部を結ぶ対角線上に直線状の仕切部８ｃを設けて収容部７を略二等分した収容部７ｃ，７ｄを形成してある。
【００２４】
収容部７ｃの底面部６には、断面台形状の凸条部６ａが並行状に形成してあり、収容した収容物が滑りづらくなるようにしてある。また、収容部７ｄの底面部６には、変形ひし形状の凹溝部６ｂが収容部７ｄを囲う側壁面部２及び仕切部８に沿い形成してあり、食料品を収容した場合に滲出した水分などを貯めることができるようにしてある。
なお、底面部６の四隅付近には、平面視への字状の凹部とした脚部６ｃが形成してある。
【００２５】
側壁面部２は、図１、図３又は図８に示すように、底面部６の周囲を囲い、上方に向け傾斜状に拡開するように設けてあり、上縁部には水平状のフランジ部２１が形成してある。また、フランジ部２１の外端部には下方に傾斜乃至垂下するスカート部２２が形成してある。スカート部２２は、端部に蓋部（図示せず）が係合し、いわゆる外嵌合ができるように形成してもよい。
【００２６】
側壁面部２には、底面部６とフランジ部２１との間を階段状にした段状部３が設けてあり、側壁面部２の剛性を高め、ひいては包装用容器５の剛性を高めるようにしてある。
【００２７】
段状部３は、図１（Ｂ）に示すように、垂直乃至傾斜状に立ち上がる立ち上がり面３ａと略水平面状に広がる平面部３ｂとを繰り返して形成してある。立ち上がり面３ａ及び平面部３ｂは湾曲面状に形成してもよい。
段状部３は、特に限定するものではないが、１段〜１０段にするのが好ましく、特に２段〜８段にするのが好ましく、さらに３段〜６段にするのが好ましい。本実施形態では、図１（Ｂ）に示すように、５段としてある。
【００２８】
段状部３は、側壁面部２の全長に渡り設けても、一部分に設けてもよい。
段状部３の各段の高さ（図１（Ｂ）の寸法Ｘ）は、特に限定するものではないが、垂直方向に、１ｍｍ〜１０ｍｍが好ましく、２ｍｍ〜５ｍｍが特に好ましい。各段の高さは同じでも相違していてもよい。
【００２９】
段状部３の少なくとも１段は、図１（Ａ）に示すように、容器５の内側に舌片状に膨出させた部分を有する膨出段部４としてある、これによりさらに剛性を高めることができる。段状部３の少なくとも１段を膨出段部４とすればよいが、複数段を膨出段部４にするのが好ましく、特に全段を膨出段部４にするのが好ましい。本実施形態では、図１（Ａ）に示すように、底面部６から数えて１〜３段目までを膨出段部４としてある。
【００３０】
膨出段部４は、本実施形態では、長さ方向の中間付近を舌片状に膨出させた、なだらかな曲線の平面視弓形状（円弧状）に形成してあるが、これに限定されるものではなく、図７に示すように、段状部３に対して長さ方向に複数の舌片状の膨出部分が繰り返す平面視波形状に形成することもできる。
【００３１】
膨出段部４の最大出幅（図１（Ａ）の寸法Ｙ）は、特に限定するものではないが、０．５ｍｍ〜１０ｍｍが好ましく、１ｍｍ〜５ｍｍが特に好ましい。複数段を膨出段部４にする場合、各段において膨出段部４の出幅は相違していてもよい。例えば、上段になるに従い出幅を小さくすることができる。
【００３２】
このように側壁面部構造１を用いた包装用容器５は、側壁面部２に段状部３を設け、段状部３の少なくとも１段を膨出段部４にすることにより、側壁面部２の剛性が高まり、ひいては包装用容器５の剛性が高まり、持ち上げても撓みにくい容器にすることができる。
また、膨出段部４を、例えば、容器内側に膨らむ平面視弓形状などの曲線状に形成することにより、従来にはない美観を有する容器にすることができる。
さらに、膨出段部４は、容器内側に膨らむ形状としてあるので包装用容器５の収容部のスペースを狭めることになる。そのため、食料品などの収容物の量が同量であれば、従来の容器と比べて、包装用容器５は収容物と側壁面部２との隙間ができにくく、盛り付けの見映えを良くすることができる。
【００３３】
図９には、本発明の他の実施形態の包装用容器の側壁面部構造１１が示してあり、図３〜図６には、側壁面部構造１１を用いた各包装用容器５，５１，５２，５３が示してある。
側壁面部構造１１は、膨出段部４に、仕切部８の端部を連結した構成としてあり、このようにすることにより、容器の剛性を高めるだけでなく、側壁面部２と仕切部８とが交差する連結部９付近の強度を高め、仕切部８を変形させにくくすることができる。
【００３４】
側壁面部構造１１は、上記した側壁面部構造１と基本的には同じである。簡単に説明すると、側壁面部構造１１は、図９に示すように、側壁面部２に段状部３が形成してあり、その一部を平面視においてラッパ形状（平面視三角形状）に容器内側に膨らむ膨出段部４としてある。膨出段部４の底面部６から１段目〜３段目を仕切部８の端部と連結し、側壁面部２と仕切部８とが交差する連結部９を形成してある。
これにより、連結部９付近の剛性が高まり、仕切部８を変形させにくくすることができる。
【００３５】
図１０には、側壁面部構造１と側壁面部構造１１とを組み合わせた例が示してあり、例えば、図５に示した包装用容器５２には、側壁面部２と仕切部８とで平面視三角形状に区画した収容部７を形成し、各仕切部８と側壁面部２とが交差する連結部９に側壁面部構造１１を設け、さらに、この両連結部９間の側壁面部２に側壁面部構造１を設けることもできる。
このようにすることにより、容器５２の剛性が高まるとともに、側壁面部２が曲線状に形成され、従来にはない美観を有する容器にすることができる。
【００３６】
上記実施形態の構成態様は、本発明を限定するものとして挙げたものではなく、技術目的を共通にするかぎり変更は可能であり、本発明はそのような変更を含むものである。
【符号の説明】
【００３７】
１，１１包装用容器の側壁面部構造
２側壁面部
２１フランジ部
２２スカート部
３段状部
３ａ立ち上がり面
３ｂ平面部
４膨出段部
５，５１，５２，５３包装用容器
６底面部
６ａ凸条部
６ｂ凹溝部
７（７ａ〜７ｄ）収容部
８（８ａ〜８ｃ）仕切部
９連結部
【図１】
2019108135.tif 000003
【図２】
2019108135.tif 000004
【図３】
2019108135.tif 000005
【図４】
2019108135.tif 000006
【図５】
2019108135.tif 000007
【図６】
2019108135.tif 000008
【図７】
2019108135.tif 000009
【図８】
2019108135.tif 000010
【図９】
2019108135.tif 000011
【図１０】
2019108135.tif 000012